(57)【要約】      （修正有）【課題】収容空間によりご飯や残留物を収集することが可能であり、熱可塑性樹脂（ＴＰＲ）などの付着し難くて洗浄しやすくて無毒な材質で作製され、食事後の片付けが容易となるビブを提供する。【解決手段】収容空間１１が設けられており、傾斜部１１１と、受け部１１２と、を含み、傾斜部は、上から下へ徐々に縮径する物置ディスク１０と、自由端には、外側に曲がる第１握り段２２が形成されており、自由端の物置ディスクと連接する一側に位置する第１ネック嵌め部２１と、自由端には、外側に曲がる第２握り段２４が形成されており、自由端の物置ディスクと連接する他側に位置する第２ネック嵌め部２３と、を含み、物置ディスクと、第１ネック嵌め部と、第２ネック嵌め部とから、嵌め空間２５が構成され、嵌め空間の物置ディスクから遠ざかった側に嵌め込み口２６が設けられている。【選択図】図１
0003192497.tif 000002
【実用新案登録請求の範囲】
【請求項１】
収容空間が設けられており、傾斜部と、受け部と、を含み、前記傾斜部は、上から下へ徐々に縮径する物置ディスクと、
自由端には、外側に曲がる第１握り段が形成されており、前記自由端の前記物置ディスクと連接する一側に位置する第１ネック嵌め部と、
自由端には、外側に曲がる第２握り段が形成されており、前記自由端の前記物置ディスクと連接する他側に位置する第２ネック嵌め部と、
を含み、
前記物置ディスクと、前記第１ネック嵌め部と、前記第２ネック嵌め部とから、嵌め空間が構成され、前記嵌め空間の前記物置ディスクから遠ざかった側に嵌め込み口が設けられていることを特徴とするビブ。
【請求項２】
一体成形されたものであることを特徴とする、請求項１に記載のビブ。
【請求項３】
前記第１ネック嵌め部と前記第２ネック嵌め部は、嵌合段を介して一体に結合されており、前記物置ディスクには、前記嵌合段に対応する嵌合溝が設けられており、前記嵌合段の底部に対応する止め部が設けられており、前記嵌合溝は前記嵌合段の上部と嵌合し、前記止め部は前記嵌合段の底部に弾性的に押付け、これにより、前記物置ディスク、前記第１ネック嵌め部及び前記第２ネック嵌め部は嵌合されて一体となることを特徴とする、請求項１に記載のビブ。
【考案の詳細な説明】
【技術分野】
【０００１】
本考案は、ベビーの日常用品に関し、特に、収容空間によりご飯や残留物を収集することが可能であり、熱可塑性樹脂（ＴＰＲ）などの付着し難くて洗浄しやすくて無毒な材質で作製され、食事後の片付けが容易となるビブに関するものである。
【背景技術】
【０００２】
目下、出生率がどんどん低くなる傾向は強くなっているため、ベビーや子供が父母の宝となる。そして子供を教育する方法は、叱れ方式から説得方式に転換する。一般の子供は、セルフケア能力が低いため、食事をしているときに、ご飯や残留物が衣服に粘着することがよくあり、食事後の片付けが面倒である。このような問題を解決するために、ベビーや子供に布製のビブを着用することが一般的である。このように、ご飯や残留物は、布製のビブに粘着し、ベビーや子供の衣服に粘着することを回避することが可能であるが、布製のビブの着用が不便である。
【考案の概要】
【考案が解決しようとする課題】
【０００３】
本考案の主な目的は、収容空間によりご飯や残留物を収集することが可能であり、熱可塑性樹脂（ＴＰＲ）などの付着し難くて洗浄しやすくて無毒な材質で作製され、食事後の片付けが容易となるビブを提供することにある。
【課題を解決するための手段】
【０００４】
本考案のビブによると、収容空間が設けられており、傾斜部と、受け部と、を含み、傾斜部は、上から下へ徐々に縮径する物置ディスクと、自由端には、外側に曲がる第１握り段が形成されており、自由端の物置ディスクと連接する一側に位置する第１ネック嵌め部と、自由端には、外側に曲がる第２握り段が形成されており、自由端の物置ディスクと連接する他側に位置する第２ネック嵌め部と、を含み、物置ディスクと、第１ネック嵌め部と、第２ネック嵌め部とから、嵌め空間が構成され、嵌め空間の物置ディスクから遠ざかった側に嵌め込み口が設けられていることを特徴とする。
【０００５】
本考案のビブによると、一体成形されたものであることを特徴とする。
【０００６】
本考案のビブによると、第１ネック嵌め部と第２ネック嵌め部は、嵌合段を介して一体に結合されており、物置ディスクには、嵌合段に対応する嵌合溝が設けられており、嵌合段の底部に対応する止め部が設けられており、嵌合溝は嵌合段の上部と嵌合し、止め部は嵌合段の底部に弾性的に押付け、これにより、物置ディスク、第１ネック嵌め部及び第２ネック嵌め部は嵌合されて一体となることを特徴とする。
【考案の効果】
【０００７】
本考案のビブによれば、次のような効果がある。
（１）収容空間によりご飯や残留物を収集することが可能であり、熱可塑性樹脂（ＴＰＲ）などの付着し難くて洗浄しやすくて無毒な材質で作製され、食事後の片付けが容易となる。
【０００８】
（２）子供のネックに直接に嵌めることが可能であり、従来のもののようにロープを結ば、又は緩めることが必要なくなり、利用が極めて便利となる。
【０００９】
（３）分離式の設計を採用するため、物置ディスクをビブから分離して、子供が物置ディスクを持って食事をする練習を行い、又は物置ディスクを洗浄することが可能である。
【図面の簡単な説明】
【００１０】
【図１】本考案の実施例１を示す斜視図である。
【図２】本考案の実施例２を示す斜視図である。
【図３】本考案の実施例２を示す分解斜視図である。
【図４】本考案の実施例２を示す断面図である。
【図５】本考案の実施例３を示す斜視図である。
【図６】本考案の実施例３を示す分解斜視図である。
【考案を実施するための最良の形態】
【００１１】
以下、本考案の実施の形態を図面に基づいて説明する。
【００１２】
（実施例１）
図１を参照する。図１は本考案の実施例１を示す斜視図である。本実施例のビブ３は、物置ディスク１０と、第１ネック嵌め部２１と、第２ネック嵌め部２３と、を含む。物置ディスク１０は、笑顔形を呈し、収容空間１１を有し、傾斜部１１１と、受け部１１２と、を含む。傾斜部１１１は、上から下へ徐々に縮径する。このように、ご飯や残留物（図示せず）が傾斜部１１１に落下するときに、受け部１１２はご飯や残留物を容易に収集することが可能である。受け部１１２は、平坦状を呈し、食べ物を収容することが可能である。第１ネック嵌め部２１は、自由端に外側に曲がる第１握り段２２が形成されており、自由端の物置ディスク１０と連接する一側に位置する。第２ネック嵌め部２３は、自由端に外側に曲がる第２握り段２４が形成されており、自由端の物置ディスク１０と連接する他側に位置する。物置ディスク１０と、第１ネック嵌め部２１と、第２ネック嵌め部２３とから、嵌め空間２５が構成される。嵌め空間２５の物置ディスク１０から遠ざかった側に嵌め込み口２６が設けられている。
【００１３】
ビブ３は、一体成形されたものである。
【００１４】
ビブ３は、熱可塑性ゴム（ＴＰＲ）、ポリエチレン（ＰＥ）、ポリプロピレン（ＰＰ）、ポリウレタン（ＴＰＵ）、熱可塑性硫化ゴム（ＴＰＶ）、熱可塑性エラストマー（ＴＰＥ）又はシリコーンなどの材料で作製され、付着し難くて洗浄しやすくて無毒である。
【００１５】
（実施例２）
図２から図４を参照する。図２は本考案の実施例２を示す斜視図であり、図３は本考案の実施例２を示す分解斜視図であり、図４は本考案の実施例２を示す断面図である。本実施例のビブ５は、物置ディスク５０と、第１ネック嵌め部６１と、第２ネック嵌め部６３と、を含む。物置ディスク５０は、笑顔形を呈し、収容空間５１を有し、傾斜部５１１と、受け部５１２と、を含む。傾斜部５１１は、上から下へ徐々に縮径する。このように、ご飯や残留物（図示せず）が傾斜部５１１に落下するときに、受け部５１２はご飯や残留物を容易に収集することが可能である。受け部５１２は、平坦状を呈し、食べ物を収容することが可能である。第１ネック嵌め部６１は、自由端に外側に曲がる第１握り段６２が形成されている。第２ネック嵌め部６３は、自由端に外側に曲がる第２握り段６４が形成されている。第１ネック嵌め部６１と第２ネック嵌め部６３は、嵌合段６７を介して一体に結合されている。物置ディスクに５０には、嵌合段６７に対応する嵌合溝５２が設けられており、嵌合段６７の底部に対応する止め部５３が設けられている。嵌合溝５２は嵌合段６７の上部と嵌合する。止め部５３は嵌合段６７の底部に弾性的に押付ける。このように、物置ディスク５０、第１ネック嵌め部６１及び第２ネック嵌め部６３は嵌合されて一体となる。物置ディスク５０と、第１ネック嵌め部６１と、第２ネック嵌め部６３とから、嵌め空間６５が構成される。嵌め空間６５の物置ディスク５０から遠ざかった側に嵌め込み口６６が設けられている。
【００１６】
（実施例３）
図５及び図６を参照する。図５は本考案の実施例３を示す斜視図であり、図６は本考案の実施例３を示す分解斜視図である。本実施例のビブ７は、物置ディスク７０と、第１ネック嵌め部８１と、第２ネック嵌め部８３と、を含む。物置ディスク７０は、笑顔形を呈し、収容空間７１を有し、傾斜部７１１と、受け部７１２と、を含む。傾斜部７１１は、上から下へ徐々に縮径する。このように、ご飯や残留物（図示せず）が傾斜部７１１に落下するときに、受け部７１２はご飯や残留物を容易に収集することが可能である。受け部７１２は、平坦状を呈し、食べ物を収容することが可能である。第１ネック嵌め部８１は、自由端に外側に曲がる第１握り段８２が形成されている。第２ネック嵌め部８３は、自由端に外側に曲がる第２握り段８４が形成されている。第１ネック嵌め部８１と第２ネック嵌め部８３は、掛け段８７を介して一体に結合されている。物置ディスク７０には、掛け段８７に対応するフック部７２が少なくとも二つ設けられている。各フック部７２は、掛け段８７を弾性的に押付けて係止する。このように、物置ディスク７０、第１ネック嵌め部８１及び第２ネック嵌め部８３は嵌合されて一体となる。物置ディスク７０と、第１ネック嵌め部８１と、第２ネック嵌め部８３とから、嵌め空間８５が構成される。嵌め空間８５の物置ディスク７０から遠ざかった側に嵌め込み口８６が設けられている。
【００１７】
本実施例のビブ５、７は、分離式の設計を採用するため、物置ディスク５０、７０をビブ５、７から分離して、子供が物置ディスク５０、７０を持って食事をする練習を行うことが可能である。
【００１８】
本実施例のビブ５、７は、分離式の設計を採用するため、物置ディスク５０、７０をビブ５、７から分離して洗浄することが可能である。
【００１９】
本実施例のビブ３、５、７は、嵌め式の設計を採用するため、子供のネックに直接に嵌めることが可能であり、従来のもののようにロープを結ば、又は緩めることが必要なくなり、利用が極めて便利となる。
【００２０】
次に、ビブ３を例にして、本考案の使用方法を説明する。まず、第１握り段２２と第２握り段２４を互いに離れるように握って、嵌め込み口２６から子供のネック部を嵌め空間２５に入れる。このように、第１握り段２２と第２握り段２４は子供のネック部に嵌合されており、子供のネック部にビブ３を組付けることが可能である。その後、食べ物を当該子供に食べさせ、又は受け部１１２に食べ物を入れて、当該子供が自分で食事をする練習を行う。食事が終わったと、第１握り段２２と第２握り段２４を互いに離れるように握って、子供のネック部を嵌め込み口２６を経由してビブ３から容易に分離することが可能である。ビブ３は、付着し難くて洗浄しやすくて無毒な材質で作製されるため、食事後の片付けが容易となる。
【００２１】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２２】
本考案は、ビブに適用することができる。
【符号の説明】
【００２３】
３  ビブ
５  ビブ
７  ビブ
１０  物置ディスク
１１  収容空間
２１  第１ネック嵌め部
２２  第１握り段
２３  第２ネック嵌め部
２４  第２握り段
２５  嵌め空間
２６  嵌め込み口
５０  物置ディスク
５１  収容空間
５２  嵌合溝
５３  止め部
６１  第１ネック嵌め部
６２  第１握り段
６３  第２ネック嵌め部
６４  第２握り段
６５  嵌め空間
６６  嵌め込み口
６７  嵌合段
７０  物置ディスク
７１  収容空間
７２  フック部
８１  第１ネック嵌め部
８２  第１握り段
８３  第２ネック嵌め部
８４  第２握り段
８５  嵌め空間
８６  嵌め込み口
８７  掛け段
１１１  傾斜部
１１２  受け部
５１１  傾斜部
５１２  受け部
７１１  傾斜部
７１２  受け部
【図１】
0003192497.tif 000003
【図２】
0003192497.tif 000004
【図３】
0003192497.tif 000005
【図４】
0003192497.tif 000006
【図５】
0003192497.tif 000007
【図６】
0003192497.tif 000008
【手続補正書】
【提出日】平成26年6月11日(2014.6.11)
【手続補正１】
【補正対象書類名】実用新案登録請求の範囲
【補正対象項目名】全文
【補正方法】変更
【補正の内容】
【実用新案登録請求の範囲】
【請求項１】
収容空間が設けられており、傾斜部と、受け部と、を含み、前記傾斜部は、上から下へ徐々に縮径する物置ディスクと、
自由端には、外側に曲がる第１握り段が形成されており、前記自由端の前記物置ディスクと連接する一側に位置する第１ネック嵌め部と、
自由端には、外側に曲がる第２握り段が形成されており、前記自由端の前記物置ディスクと連接する他側に位置する第２ネック嵌め部と、
を含み、
前記物置ディスクと、前記第１ネック嵌め部と、前記第２ネック嵌め部とから、嵌め空間が構成され、前記嵌め空間の前記物置ディスクから遠ざかった側に嵌め込み口が設けられていることを特徴とするビブ。
【請求項２】
前記物置ディスクと前記第１ネック嵌め部と前記第２ネック嵌め部とは、一体成形されたものであることを特徴とする、請求項１に記載のビブ。
【請求項３】
前記第１ネック嵌め部と前記第２ネック嵌め部は、嵌合段を介して一体に結合されており、前記物置ディスクには、前記嵌合段に対応する嵌合溝が設けられており、前記嵌合段の底部に対応する止め部が設けられており、前記嵌合溝は前記嵌合段の上部と嵌合し、前記止め部は前記嵌合段の底部に弾性的に押付け、これにより、前記物置ディスク、前記第１ネック嵌め部及び前記第２ネック嵌め部は嵌合されて一体となることを特徴とする、請求項１に記載のビブ。